(57)【特許請求の範囲】
【請求項１】
吸収性本体（１０）と，
前記吸収性本体（１０）を肌非当接面側から被覆して，前記吸収性本体（１０）を着用者の股下に保持する外装体（２０）と，を備え，
前記外装体（２０）は，
着用者の腹側に位置する前身頃（２１）と，
着用者の背側に位置する後身頃（２２）と，
前記前身頃（２１）と前記後身頃（２２）の間に位置する股下部（２３）と，
前記股下部（２３）の幅方向外側に形成された左右一対のレッグ開口部（２４）と，
前記レッグ開口部（２４）の周囲に形成され，前記着用者の脚周りを被覆する脚周り被覆部（２５）と，を有する
ボクサーパンツ型の使い捨ておむつにおいて，
前記吸収性本体（１０）は，
吸収体（１１）と，
前記吸収体（１１）の肌対向面側に位置する液透過性のトップシート（１２）と，
前記吸収体（１１）の肌非対向面側に位置する液不透過性のバックシート（１３）と，
前記吸収性本体（１０）の左右両側に設けられ，前記着用者の肌に向かって立ち上がる立体ギャザーを形成するサイドシート（１４）と，を有し，
前記サイドシート（１４）は，
前記トップシート（１２）の肌対向面に接合された接合領域（３１）と，
前記接合領域（３１）の幅方向内側に位置し，少なくとも部分的に前記トップシート（１２）に接合されていない自由部分を有する起立領域（３２）と，
前記接合領域（３１）の幅方向外側に位置し，かつ，前記トップシート（１２）の肌対向面に接合されていない延出領域（３３）と，を有し，
前記延出領域（３３）は，
前記サイドシート（１４）の長手方向の中央部分に，幅方向外側に向かって延出した延出フラップ（３３ａ）と，
前記トップシート（１２）よりも幅方向外側に向かって延出し，前記延出フラップ（３３ａ）の前記長手方向の前後両側に位置し，前記吸収性本体（１０）の肌非対向面側に向かって折り返されて，前記吸収性本体（１０）の肌非対向面に接合された折返フラップ（３３ｂ）を有する
ボクサーパンツ型の使い捨ておむつ。
【請求項２】
前記延出フラップ（３３ａ）は，前記吸収性本体（１０）を前記外装体（２０）の前記股下部（２３）に配置したときに，前記レッグ開口部（２４）に達しない延出長さで形成されている
請求項１に記載の使い捨ておむつ。
【請求項３】
前記延出フラップ（３３ａ）は，前記外装体（２０）の肌対向面に接合されている
請求項２に記載の使い捨ておむつ。
【請求項４】
吸収性本体（１０）と，
前記吸収性本体（１０）を肌非当接面側から被覆して，前記吸収性本体（１０）を着用者の股下に保持する外装体（２０）と，を備え，
前記外装体（２０）は，
着用者の腹側に位置する前身頃（２１）と，
着用者の背側に位置する後身頃（２２）と，
前記前身頃（２１）と前記後身頃（２２）の間に位置する股下部（２３）と，
前記股下部（２３）の幅方向外側に形成された左右一対のレッグ開口部（２４）と，
前記レッグ開口部（２４）の周囲に形成され，前記着用者の脚周りを被覆する脚周り被覆部（２５）と，を有する
ボクサーパンツ型の使い捨ておむつにおいて，
前記吸収性本体（１０）は，
吸収体（１１）と，
前記吸収体（１１）の肌対向面側に位置する液透過性のトップシート（１２）と，
前記吸収体（１１）の肌非対向面側に位置する液不透過性のバックシート（１３）と，
前記吸収性本体（１０）の左右両側に設けられ，前記着用者の肌に向かって立ち上がる立体ギャザーを形成するサイドシート（１４）と，を有し，
前記サイドシート（１４）は，
前記トップシート（１２）の肌対向面に接合された接合領域（３１）と，
前記接合領域（３１）の幅方向内側に位置し，少なくとも部分的に前記トップシート（１２）に接合されていない自由部分を有する起立領域（３２）と，
前記接合領域（３１）の幅方向外側に位置し，かつ，前記トップシート（１２）の肌対向面に接合されていない延出領域（３３）と，を有し，
前記延出領域（３３）は，前記サイドシート（１４）の長手方向の中央部分に，幅方向外側に向かって延出した延出フラップ（３３ａ）を有し，
前記延出フラップ（３３ａ）は，吸水手段（４０）を有する
ボクサーパンツ型の使い捨ておむつ。
【請求項５】
吸収性本体（１０）と，
前記吸収性本体（１０）を肌非当接面側から被覆して，前記吸収性本体（１０）を着用者の股下に保持する外装体（２０）と，を備え，
前記外装体（２０）は，
着用者の腹側に位置する前身頃（２１）と，
着用者の背側に位置する後身頃（２２）と，
前記前身頃（２１）と前記後身頃（２２）の間に位置する股下部（２３）と，
前記股下部（２３）の幅方向外側に形成された左右一対のレッグ開口部（２４）と，
前記レッグ開口部（２４）の周囲に形成され，前記着用者の脚周りを被覆する脚周り被覆部（２５）と，を有する
ボクサーパンツ型の使い捨ておむつにおいて，
前記吸収性本体（１０）は，
吸収体（１１）と，
前記吸収体（１１）の肌対向面側に位置する液透過性のトップシート（１２）と，
前記吸収体（１１）の肌非対向面側に位置する液不透過性のバックシート（１３）と，
前記吸収性本体（１０）の左右両側に設けられ，前記着用者の肌に向かって立ち上がる立体ギャザーを形成するサイドシート（１４）と，を有し，
前記サイドシート（１４）は，
前記トップシート（１２）の肌対向面に接合された接合領域（３１）と，
前記接合領域（３１）の幅方向内側に位置し，少なくとも部分的に前記トップシート（１２）に接合されていない自由部分を有する起立領域（３２）と，
前記接合領域（３１）の幅方向外側に位置し，かつ，前記トップシート（１２）の肌対向面に接合されていない延出領域（３３）と，を有し，
前記延出領域（３３）は，前記サイドシート（１４）の長手方向の中央部分に，幅方向外側に向かって延出した延出フラップ（３３ａ）を有し，
前記接合領域（３１）と前記延出フラップ（３３ａ）の境界には，前記延出フラップ（３３ａ）を前記接合領域（３１）から切り離し可能にするためのミシン目線（５１）と，前記延出フラップ（３３ａ）を前記接合領域（３１）から部分的に切り離したスリット（５２）との両方又はいずれか一方が形成されている
ボクサーパンツ型の使い捨ておむつ。
【請求項６】
吸収体（１１）と，
前記吸収体（１１）の肌対向面側に位置する液透過性のトップシート（１２）と，
前記吸収体（１１）の肌非対向面側に位置する液不透過性のバックシート（１３）と，
前記吸収体（１１）の左右両側に設けられ，前記着用者の肌に向かって立ち上がる立体ギャザーを形成するサイドシート（１４）と，を有する
吸収性物品であって，
前記サイドシート（１４）は，
前記トップシート（１２）の肌対向面に接合された接合領域（３１）と，
前記接合領域（３１）の幅方向内側に位置し，少なくとも部分的に前記トップシート（１２）に接合されていない自由部分を有する起立領域（３２）と，
前記接合領域（３１）の幅方向外側に位置し，かつ，前記トップシート（１２）の肌対向面に接合されていない延出領域（３３）と，を有し，
前記延出領域（３３）は，
前記サイドシート（１４）の長手方向の中央部分に，幅方向外側に向かって延出した延出フラップ（３３ａ）と，
前記トップシート（１２）よりも幅方向外側に向かって延出し，前記延出フラップ（３３ａ）の前記長手方向の前後両側に位置し，前記吸収性物品の肌非対向面側に向かって折り返されて，前記吸収性物品の肌非対向面に接合された折返フラップ（３３ｂ）を有する
吸収性物品。
【発明の詳細な説明】
【技術分野】
【０００１】
本発明は，着用者の股下に装着され，尿などの液体を吸収して保持するための使い捨ておむつに関する。具体的に説明すると，本発明は，着用者の脚周りを被覆する脚周り被覆部を有するボクサーパンツ型の使い捨ておむつに関するものである。
【背景技術】
【０００２】
従来から，前身頃と後身頃の左右両端が予め接合されて，着用者の腹周りに対応するウエスト開口部と，着用者の左右の脚周りに対応する一対のレッグ開口部が形成されたパンツ型の使い捨ておむつが知られている。このようなパンツ型の使い捨ておむつは，レッグ開口部が着用者の鼠径部に沿うようして上方に広がるショーツタイプのものが一般的である。
【０００３】
しかし，ショーツタイプの使い捨ておむつは，着用者が歩いたり座ったりする際に脚周り部分に隙間が生じやすくなっており，レッグ開口部からの尿漏れが課題の一つであるとされていた。このため，近年では，ショーツタイプの使い捨ておむつの課題を克服するために，脚周り部分のフィット性を強化したボクサーパンツ型の使い捨ておむつが開発されている（特許文献１〜３）。ボクサーパンツ型の使い捨ておむつは，着用者の脚周りを被覆する脚周り被覆部を有しており，レッグ開口部が股下部よりも下方に延在している。このため，着用者が動いているときにも，着用者の脚周りとおむつとの間に隙間が生じにくく，レッグ開口部からの尿漏れを効果的に防止できるとされている。
【０００４】
特許文献１に記載のボクサーパンツ型の使い捨ておむつ（トランクス型おむつ）は，使い捨ておむつの脚周り部分に配置された弾性部材が，左右のレッグ開口部を全体として一つのラウンド状に囲んだ状態で配設されている。これにより，特許文献１の使い捨ておむつは，装着感に優れ，脱着が容易で，防漏性の高く，安定した吸収性を有するとされている。また，特許文献２には，脚周り被覆部（脚周り筒部）の周方向に沿ってミシン目を形成することで，その脚周り被覆部の長さを容易に変更可能としたボクサーパンツ型の使い捨ておむつが開示されている。
【０００５】
ただし，特許文献１や特許文献２に開示された従来のボクサーパンツ型の使い捨ておむつは，脚周り被覆部が液体を吸収する素材で形成されたものではない。このため，従来のボクサーパンツ型の使い捨ておむつは，尿などの液体がこの脚周り被覆部に達してしまうと適切に液体を吸収することができず，レッグ開口部からの尿漏れを確実に防止できるものではなかった。そこで，特許文献３では，レッグ開口部からの尿漏れをより確実に防止するために，レッグ開口部に沿って吸収要素を配設したボクサーパンツ型の使い捨ておむつが提案されている。つまり，特許文献３のボクサーパンツ型の使い捨ておむつは，吸収性本体と，この吸収性本体を着用者の股下に保持するための外装体とから構成される。そして，吸収性本体に第１吸収要素を配設するとともに，外装体のレッグ開口部の周囲に第２吸収要素を配設している。このため，吸収性本体の第１吸収要素によって吸収しきれなかった液体がレッグ開口部に到達した場合であっても，外装体の第２吸収要素によって吸収することができるとされていた。
【先行技術文献】
【特許文献】
【０００６】
【特許文献１】特許第５２０８９６５号公報
【特許文献２】特開２０１０−２２０９８０号公報
【特許文献３】特開２０１２−０６２３２９号公報
【発明の概要】
【発明が解決しようとする課題】
【０００７】
ここで，本発明者は，ボクサーパンツ型の使い捨ておむつにおいて尿漏れが発生する現象について詳しく研究を行った。その研究の結果，ボクサーパンツ型の使い捨ておむつにおいては，吸収性本体から滲み出した尿が着用者の内太腿辺りをつたってレッグ開口部に到達し，このレッグ開口部から漏れ出す場合が多いということが明らかになった。
【０００８】
これに対し，上記した特許文献３のボクサーパンツ型の使い捨ておむつでは，外装体のレッグ開口部の周囲に沿って第２吸収要素が設けられているものの，この第２吸収要素は，吸収性本体に設けられた第１吸収要素から分離して配置されている。すなわち，本発明者の研究結果にあるとおり，ボクサーパンツ型の使い捨ておむつは，着用者の内太腿辺りに尿が溜まりやすくなっているにも関わらず，特許文献３の使い捨ておむつでは，この尿漏れの発生しやすい内太腿辺りに吸収要素が存在していなかった。従って，特許文献３の使い捨ておむつは，着用者の内太腿辺りに残存する尿を効率的に吸収することができず，着用者に対して尿漏れの不快感を与えるおそれがあった。
【０００９】
また，特許文献３のボクサーパンツ型の使い捨ておむつは，レッグ開口部の全周囲に沿って第２吸収要素が配設されている。しかしながら，ボクサーパンツ型の使い捨ておむつにおいては，着用者の内太腿辺りから尿漏れが発生する場合が多く，反対に，着用者の外太腿辺りからは尿漏れがほとんど発生しない。従って，特許文献３のおむつのように，着用者の外太腿辺りを被覆するように吸収要素を配設すると，不必要な圧迫感を着用者に与えてしまい，却って使い捨ておむつの装着感が低下するという問題があった。
【００１０】
また，一般的に，使い捨ておむつを製造するにあたり，吸収性本体と外装体とは別々の工程で製造された後，最終工程に近い段階で互いに接合されて，使い捨ておむつの完成品となる。通常であれば，液体を吸収保持するための吸収性材料は吸収性本体にのみ配設されるため，吸収性材料を配設するための装置は，吸収性本体の製造ラインにのみ設ければ済む。これに対し，特許文献３のボクサーパンツ型の使い捨ておむつのように，吸収性本体だけでなく外装体にも吸収要素を配設するようにすると，外装体の製造ラインにも吸収性材料を配設するための装置を配備しなければならない。従って，使い捨ておむつの製造コストの上昇が避けられないという問題があった。
【００１１】
そこで，本発明は，シンプルな構造で，着用者の内太腿辺りからの尿漏れをより確実に防止することのできる，ボクサーパンツ型の使い捨ておむつを提供することを解決課題とする。
【課題を解決するための手段】
【００１２】
本発明の発明者は，従来発明の課題を解決する手段について鋭意検討した結果，ボクサーパンツ型の使い捨ておむつにおいて，吸収性本体の立体ギャザーを構成するサイドシートを幅方向の外側に延出させて，延出フラップを形成することとした。そして，この延出フラップによって着用者の内太腿辺りを被覆し，この内太腿をつたって滲み出す尿を吸収するようにすれば，シンプルな構造でレッグ開口部からの尿漏れをより確実に防止できるようになるという知見を得た。本発明者は，上記知見に基づけば，従来発明の課題を解決できることに想到し，本発明を完成させた。具体的に説明すると，本発明は以下の構成を有する。
【００１３】
本発明の第１の側面は，ボクサーパンツ型の使い捨ておむつに関する。
本発明の使い捨ておむつは，吸収性本体１０と，この吸収性本体１０を肌非当接面側から被覆して吸収性本体１０を着用者の股下に保持する外装体２０と，を備える。
外装体２０は，着用者の腹側に位置する前身頃２１と，着用者の背側に位置する後身頃２２と，前身頃２１と後身頃２２の間に位置する股下部２３と，股下部２３の幅方向外側に形成された左右一対のレッグ開口部２４とを有する。さらに，外装体２０は，レッグ開口部２４の周囲に形成され，着用者の脚周りを被覆する脚周り被覆部２５を有している。
吸収性本体１０は，吸収体１１と，吸収体１１の肌対向面側に位置する液透過性のトップシート１２と，吸収体１１の肌非対向面側に位置する液不透過性のバックシート１３とを有する。さらに，吸収性本体１０は，この吸収性本体１０の左右両側に設けられ，着用者の肌に向かって立ち上がる立体ギャザーを形成するサイドシート１４を有している。
サイドシート１４は，接合領域３１と，起立領域３２と，延出領域３３を有する。接合領域３１は，トップシート１２の肌対向面に接合された領域である。起立領域３２は，接合領域３１の幅方向内側に位置し，少なくとも部分的にトップシート１２に接合されていない自由部分を有する領域である。起立領域３２の自由部分には，使い捨ておむつの長手方向に沿って，弾性伸縮部材が取り付けられていることが好ましい。また，延出領域３３は，接合領域３１の幅方向外側に位置し，かつ，トップシート１２の肌対向面に接合されていない領域である。
そして，本発明において，延出領域３３は，サイドシート１４の長手方向の中央部分に，幅方向外側に向かって延出した延出フラップ３３ａを有している。この延出フラップ３３ａは，トップシート１２よりも外側に延出していることが好ましい。
【００１４】
上記構成のように，本発明は，ボクサーパンツ型の使い捨ておむつであり，その立体ギャザーを形成するサイドシート１４の長手方向中央部分に，延出フラップ３３ａが形成されている。この延出フラップ３３ａは，着用者がボクサーパンツ型の使い捨ておむつを装着している際に，その着用者の内太腿辺りに当てがわれる。従って，この延出フラップ３３ａに液吸収性を付与して，この延出フラップ３３ａによって液体を吸収するようにすることで，着用者の内太腿をつたって尿などの液体が外部へと漏洩することをより確実に防止できる。また，延出フラップ３３ａは，着用者の内太腿辺りを局所的に被覆するものである。このように，ボクサーパンツ型の使い捨ておむつにおいて最も液体が漏洩しやすいとされている内太腿辺りに延出フラップ３３ａを位置させることができるため，使い捨ておむつの装着感を損なうことなく，効果的に尿漏れを防ぐことができる。さらに，延出フラップ３３ａは，従来の使い捨ておむつにおいても用いられているサイドシートを利用して形成されたものであり，比較的シンプルな構造となっている。よって，本発明によれば，シンプルな構造で，着用者の内太腿辺りからの尿漏れをより確実に防止することができる。
【００１５】
本発明の使い捨ておむつにおいて，延出領域３３は，さらに，折返フラップ３３ｂを有することが好ましい。折返フラップ３３ｂは，延出フラップ３３ａの長手方向の前後両側に位置し，吸収性本体１０の肌非対向面側に向かって折り返されて，吸収性本体１０の肌非対向面に接合された部位である。
【００１６】
上記構成のように，例えば，サイドシート１４の延出領域３３に切り込み等を形成して，この延出領域３３を，２つの折返フラップ３３ｂと，それらの間に位置する延出フラップ３３ａとに区分する。そして，２つの折返フラップ３３ｂを折り返して吸収性本体１０の肌非対向面に固定しておく。このように，サイドシート１４によって吸収性本体１０の左右両側を挟み込むようにすることで，吸収性本体１０から尿の横漏れが発生することを防止し，かつ，吸収性本体１０の保型性を向上させることができる。
【００１７】
本発明の使い捨ておむつにおいて，延出フラップ３３ａは，吸収性本体１０を外装体２０の股下部２３に配置したときに，レッグ開口部２４に達しない延出長さで形成されていることが好ましい。
【００１８】
上記構成のように，延出フラップ３３ａは，レッグ開口部２４から延出しない長さに調整されている。延出フラップ３３ａがレッグ開口部２４からはみ出してしまうと，使い捨ておむつの着用時における見栄えが悪くなる。また，延出フラップ３３ａのうちのレッグ開口部２４から延出した部分は，液体を吸収しにくくなるため，この延出フラップ３３ａをレッグ開口部２４から延出させると，この延出フラップ３３ａを伝って漏れた尿が染みだしてしまう。従って，延出フラップ３３ａは，吸収性本体１０を外装体２０の股下部２３に配置したときに，レッグ開口部２４に達しない程度の長さであることが好ましい。
【００１９】
本発明において，延出フラップ３３ａは，外装体２０の肌対向面に接合されていることとしてもよい。
【００２０】
上記構成のように，延出フラップ３３ａを外装体２０に接合することで，吸収性本体１０と外装体２０の接合面積が増えるため，両者の接合強度が向上する。ただし，延出フラップ３３ａを外装体２０に接合すると，延出フラップ３３ａの吸収性能が低下することもあるため，延出フラップ３３ａを外装体２０に接合せずに離しておいてもよい。
【００２１】
本発明において，延出フラップ３３ａは吸水手段４０を有することが好ましい。
【００２２】
上記構成のように，延出フラップ３３ａに吸水手段４０を設けることで，この延出フラップ３３ａの吸収性能を高めることができる。例えば，吸水手段４０は，フラッフパルプや，セルロース繊維，高吸水性ポリマー（ＳＡＰ），ティッシュペーパなどであってもよい。また，吸水手段４０として，延出フラップ３３ａを構成する部位に親水化処理を施すこともできる。
【００２３】
本発明において，接合領域３１と延出フラップ３３ａの境界には，ミシン目線５１とスリット５２の両方又はいずれか一方を設けることとしてもよい。ミシン目線５１は，延出フラップ３３ａを接合領域３１から切り離し可能にするためのものである。また，スリット５２は，延出フラップ３３ａを接合領域３１から部分的に切り離すための切り込みである。
【００２４】
上記構成のように，接合領域３１と延出フラップ３３ａの境界にミシン目線５１を設けておくことで，例えば，延出フラップ３３ａが尿に触れて湿潤した後に，この延出フラップ３３ａを切り離すことができる。これにより，尿が染み込んだ延出フラップ３３ａが着用者の肌に長時間触れ続けることを回避できる。また，接合領域３１と延出フラップ３３ａの境界に部分的なスリット５２を設けておくことで，延出フラップ３３ａが，着用者の動作に追従して動きやすくなる。これにより，延出フラップ３３ａを形成した場合であっても，着用者に与える違和感を軽減することができる。
【００２５】
本発明の第２の側面は，吸収性物品に関する。吸収性物品には，パンツ型の使い捨ておむつや，テープ型の使い捨ておむつ，吸収パッド，生理用ナプキンなどが含まれる。
本発明の吸収性物品は，吸収体１１と，吸収体１１の肌対向面側に位置する液透過性のトップシート１２と，吸収体１１の肌非対向面側に位置する液不透過性のバックシート１３とを有する。さらに，吸収性本体１０は，この吸収性本体１０の左右両側に設けられ，着用者の肌に向かって立ち上がる立体ギャザーを形成するサイドシート１４を有している。
サイドシート１４は，接合領域３１と，起立領域３２と，延出領域３３を有する。接合領域３１は，トップシート１２の肌対向面に接合された領域である。起立領域３２は，接合領域３１の幅方向内側に位置し，少なくとも部分的にトップシート１２に接合されていない自由部分を有する領域である。起立領域３２の自由部分には，使い捨ておむつの長手方向に沿って，弾性伸縮部材が取り付けられていることが好ましい。また，延出領域３３は，接合領域３１の幅方向外側に位置し，かつ，トップシート１２の肌対向面に接合されていない領域である。
ここで，本発明において，延出領域３３は，サイドシート１４の長手方向の中央部分に，幅方向外側に向かって延出した延出フラップ３３ａを有している。
【発明の効果】
【００２６】
本発明によれば，シンプルな構造で，着用者の内太腿辺りからの尿漏れをより確実に防止することのできる，ボクサーパンツ型の使い捨ておむつを提供することができる。
【図面の簡単な説明】
【００２７】
【図１】図１は，ボクサーパンツ型の使い捨ておむつの例を示した斜視図である。
【図２】図２は，ボクサーパンツ型の使い捨ておむつの展開図である。
【図３】図３は，サイドシートが展開された状態の吸収性本体の平面図である。
【図４】図４は，サイドシートが折り返された状態の吸収性本体の平面図である。
【図５】図５は，使い捨ておむつの断面図である。図５（ａ）は，図２に示したＡ−Ａ線における断面を示しており，図５（ｂ）は，図２に示したＢ−Ｂ線における断面を示している。
【図６】図６は，着用者に装着された状態の使い捨ておむつの断面図を模式的に示している。
【図７】図７は，他の実施形態に係る吸収性本体の平面図である。
【図８】図８は，延出フラップに形成されたスリットや開口の例を示している。
【図９】図９は，延出フラップに形成されたミシン目線やスリットの例を示している。
【図１０】図１０は，ボクサーパンツ型の使い捨ておむつの製造工程を模式的に示している。
【発明を実施するための形態】
【００２８】
以下，図面を用いて本発明を実施するための形態について説明する。本発明は，以下に説明する形態に限定されるものではなく，以下の形態から当業者が自明な範囲で適宜変更したものも含む。
【００２９】
本願明細書において，「長手方向」とは，基本的に，使い捨ておむつの長手方向を意味し，使い捨ておむつの前身頃と後身頃を結ぶ方向をいう。また，「幅方向」とは，基本的に，使い捨ておむつの幅方向を意味し，長手方向に平面的に直交する方向をいう。本願の図において，「長手方向」はＹ軸で示され，「幅方向」はＸ軸で示されている。
また，本願明細書において，「肌対向面」とは，使い捨ておむつが装着された際に着用者の肌に向かい合う面を意味する。また，「肌非対向面」とは，肌対向面とは反対側の面であり，着用者の肌に向かい合わない面を意味する。
また，本願明細書において，「Ａ〜Ｂ」とは，「Ａ以上Ｂ以下」であることを意味する。
【００３０】
本発明の一実施形態は，ボクサーパンツ型の使い捨ておむつに関する。パンツ型の使い捨ておむつは，前身頃と後身頃の左右両端部が予め接合されることで，ウエスト開口部と，左右のレッグ開口部が形成されたタイプの使い捨ておむつである。パンツ型の使い捨ておむつは，ウエスト開口部から両脚部を入れて，左右のレッグ開口部からそれぞれ左右の脚部を出すことで装着することができる。本発明の実施形態は，パンツ型の使い捨ておむつの中でも，着用者の脚周りを被覆する脚周り被覆部を有しており，レッグ開口部が股下部よりも下方に延在しているタイプのものである。このような脚周り被覆部を有するものを，本願明細書ではボクサーパンツ型の使い捨ておむつと称している。
【００３１】
図１は，ボクサーパンツ型の使い捨ておむつ１００を前身頃側からみた状態を示す斜視図である。また，図２は，ボクサーパンツ型の使い捨ておむつ１００を肌対向面側からみた状態を示す展開図である。図１及び図２に示されるように，使い捨ておむつ１００は，吸収性本体１０と外装体２０とを備えている。吸収性本体１０は，尿などの排泄物を吸収して保持するための部材である。また，外装体２０は，吸収性本体１０をその肌非対向面側から被覆し，この吸収性本体１０を着用者の股下に保持するための部材である。
【００３２】
図１及び図２に示されるように，外装体２０は，着用者の腹側に位置する前身頃２１と，着用者の背側に位置する後身頃２２と，これらの前身頃２１と後身頃２２に位置する股下部２３を有している。外装体２０の股下部２３は，着用者の股下に当てがわれる部位となる。吸収性本体１０は，この外装体２０の股下部２３を中心として，前身頃２１と後身頃２２に延びるように，外装体２０の肌対向面側に重ねて配置される。また，外装体２０は，前身頃２１と後身頃２２の幅方向の左右両端に位置するサイドシール部２１ａ，２２ａにおいて互いに重ね合わせて接合することにより，パンツ型となる。このとき，外装体２０には，股下部２３の幅方向左右両側に設けられた切り欠きによって，着用者の両脚部に対応するレッグ開口部２４が形成される。また，同時に，外装体２０には，前身頃２１と後身頃２２の長手方向の前後両端縁によって，着用者の腹周りに対応するウエスト開口部２６が形成される。
【００３３】
また，図１及び図２に示されるように，ボクサーパンツ型の使い捨ておむつ１００は，レッグ開口部２４の周囲に，着用者の脚周りを被覆する脚周り被覆部２５が形成される。脚周り被覆部２５が形成されることで，使い捨ておむつ１００が着用者に装着されている状態において，左右のレッグ開口部２４が，股下部２３よりも下方に延在するようになる。脚周り被覆部２５は，例えば，レッグ開口部２４を形成する切り欠きの開口面積を狭くしたり，レッグ開口部２４から吸収性本体１０の吸収体１１までの間隔を広く確保したりすることによって，形成することができる。外装体２０全体の面積に対してレッグ開口部２４の面積を広く取り過ぎると，いわゆるショーツタイプの使い捨ておむつとなる。このため，ボクサーパンツ型の使い捨ておむつ１００を製造するためには，着用者の脚周りを被覆する脚周り被覆部２５が残るように，レッグ開口部２４の開口面積を調整するようにすればよい。
【００３４】
また，外装体２０は，複数のシート部材を厚み方向に重ね合わせた構造となっている。例えば，外装体２０は，肌対向面側に位置するインナーシート２７と，肌非対向面側に位置するアウターシート２８とを有する。インナーシート２７とアウターシート２８を構成する材料としては，例えば，織布や不織布が用いることができる。特に，外装体２０の肌触りを良くするために，インナーシート２７とアウターシート２８としては，ポリエチレン，ポリプロピレン，又はポリエステルのような熱可塑性樹脂からなる乾式不織布又は湿式不織布を用いることが好ましい。
【００３５】
また，外装体２０は，インナーシート２７とアウターシート２８の間に，複数の弾性伸縮部材２９ａ，２９ｂ，２９ｃが介在している。複数のウエスト伸縮部材２９ａは，ウエスト開口部２６の近傍において，幅方向に沿って伸長した状態で固定されている。ウエスト伸縮部材２９ａによって，着用者の腰周りにウエストギャザーが形成される。また，複数のタミー伸縮部材２９ｂは，ウエスト伸縮部材２９ａよりも股下部２３寄りの位置において，幅方向に沿って伸長した状態で固定されている。タミー伸縮部材２９ｂによって，着用者の下腹部周りにタミーギャザーが形成される。また，レッグ伸縮部材２９ｃは，レッグ開口部２４の近傍において，このレッグ開口部２４の形状に沿って伸長した状態で固定されている。レッグ伸縮部材２９ｃによって，着用者の両脚部周りにレッグギャザーが形成される。
【００３６】
このような外装体２０の肌対向面側には，吸収性本体１０が配置される。吸収性本体１０は，基本的には，後述する延出フラップ３３ａを除き，その肌非対向面側がホットメルト接着剤などを介して吸収性本体１０に接合されている。図１及び図２に示されるように，吸収性本体１０は，外装体２０の前身頃２１から後身頃２２にかけて股下部２３を通る位置に固定されている。また，吸収性本体１０は，外装体２０の左右のレッグ開口部２４の間に位置し，これらのレッグ開口部２４から外側へはみ出さないように配置されている。
【００３７】
図３及び図４は，吸収性本体１０の構造を示した平面図である。図３は，サイドシート１４が展開された状態を示しており，図４は，サイドシート１４の一部が折り返された状態を示している。また，図５（ａ）は，図２に示したＡ−Ａ線における断面構造を示し，図５（ｂ）は，図２に示したＢ−Ｂ線における断面構造を示している。
【００３８】
図３〜図５に示されるように，吸収性本体１０は，基本的に，吸収体１１と，液透過性のトップシート１２と，液不透過性のバックシート１３と，立体ギャザーを形成するためのサイドシート１４とを備えている。
【００３９】
具体的に説明すると，吸収体１１は，尿などの液体を吸収し，吸収した液体を保持するための部材である。吸収体１１は，液透過性のトップシート１２と，液不透過性のバックシート１３の間に配置される。吸収体１１は，トップシート１２を透過した液体を吸収する機能を有し，吸収性材料により構成される。吸収体１１を構成する吸収性材料には，公知の材料を採用することができる。吸収性材料としては，例えば，フラッフパルプ，高吸水性ポリマー（ＳＡＰ），又は親水性シートを用いることとしてもよい。また，吸収性材料には，フラッフパルプ，高吸水性ポリマー，又は親水性シートのうち１種類を単独で用いてもよいし，２種類以上を併用することとしてもよい。吸収性材料は，通常，単層又は複数層のマット状に形成されて用いられる。
【００４０】
トップシート１２は，着用者の股下の肌に直接接し，尿などの液体を吸収体１１へ透過させるための部材である。このため，トップシート１２は，柔軟性が高い液透過性材料で構成される。トップシート１２を構成する透不過性材料の例は，織布，不織布，又は多孔性フィルムである。また，トップシート１２としては，例えばポリプロピレンやポリエチレン，ポリエステル，ナイロンのような熱可塑性樹脂の繊維を親水化処理してさらに不織布にしたものを用いることとしてもよい。
【００４１】
バックシート１３は，トップシート１２を透過して吸収体１１に吸収された液体が，おむつの外部へ漏出することを防止するための部材である。このため，バックシート１３は，液不透過性材料によって構成される。バックシート１３を構成する不透過材料の例は，ポリエチレン樹脂からなる液不透過性のフィルムである。特に，バックシート１３としては，液不透過性を維持しつつ通気性を確保するために，０．１〜４μｍの微細な孔が複数形成された微多孔性ポリエチレンフィルムを用いることが好ましい。
【００４２】
また，図５の断面図に示されるように，トップシート１２は，吸収体１１の幅方向左右外側に延出し，この延出した部分が，バックシート１３の肌非対向面（裏面）に重ね合わされて接合されている。このように，トップシート１２は，吸収体１１の肌対向面側に位置する部分の他に，吸収体１１の肌非対向面側に位置する部分を有していてもよい。トップシート１２の一部をバックシート１３の肌非対向面に接合することで，トップシート１２とバックシート１３の内部に，吸収体１１を内包することができる。
【００４３】
また，図５に示されるように，吸収性本体１０は，吸収体１１の肌対向面側であって，吸収体１１とトップシート１２との間に，液透過性のセカンドシート１５を有していてもよい。セカンドシート１５は，トップシート１２を透過した尿などの液体を拡散させることを目的として配置されるシート状部材である。セカンドシート１５を設けることで，吸収性本体１０が着用者の肌によって圧迫されて，吸収体１１とトップシート１２の間に十分な空間が形成されないような場合であっても，液体が拡散しやすくなり，液体の吸収速度が低下することを防止できる。セカンドシート１５を構成する材料としては，トップシート１２と同様に，織布，不織布，又は多孔性フィルムなどの液透過性材料を採用することができる。
【００４４】
また，図３〜図５に示されるように，吸収性本体１０の肌対向面側の幅方向左右両側には，長手方向の全体に亘って，一対のサイドシート１４が重ね合わされている。一対のサイドシート１４は，吸収体１１の両側縁に沿って起立して，尿の横漏れを防止する立体ギャザーを形成するためのシート部材である。例えば，サイドシート１４を構成するシート部材としては，撥水性と通気性を有するシート部材を採用することができる。サイドシート１４としては，例えば，カードエンボスやスパンボンド等の製法により得られた不織布シートを使用することができ，特に防水性及び通気性が高いＳＭＳやＳＭＭＳ等の不織布シートを用いることが好ましい。また，サイドシート１４は，織布や不織布に撥水加工を施したものであってもよい。また，サイドシート１４としては，トップシート１２等と同様に，液透過性のシート部材を用いることも可能である。
【００４５】
また，図５の断面図に示されるように，本実施形態において，サイドシート１４は，トップシート１２に接する側に位置する内層１４ａと，トップシート１２に接しない側に位置する外層１４ｂが重なった積層構造となっている。例えば，サイドシート１４を構成するシート部材を，立体ギャザーの頂点において折り返して，内側に位置するものを内層１４ａとし，外側に位置するものを外層１４ｂとすればよい。
【００４６】
また，図３の平面図に示されるように，一対のサイドシート１４は，接合領域３１と，起立領域３２と，延出領域３３とに幅方向に区分されている。サイドシート１４は，幅方向の内側から順に，起立領域３２，接合領域３１，延出領域３３が形成されている。各領域３１，３２，３３は，長手方向に沿って真っ直ぐに延びた帯状の領域として観念することができる。
【００４７】
サイドシート１４の接合領域３１は，トップシート１２の肌対向面に接合された領域である。つまり，この接合領域３１において，サイドシート１４は，基本的に，トップシート１２の肌対向面上に全面的に接合されている。なお，図示は省略するが，バックシート１３の左右両端部がトップシート１２の左右両端部から延出している場合，サイドシート１４は，接合領域３１において，バックシート１３の肌対向面上にも接合されていてもよい。
【００４８】
サイドシート１４の起立領域３２は，接合領域３１よりも幅方向の内側に位置する領域である。図３に示されるように，この起立領域３２は，長手方向に見て，長手方向の前後両端側に位置する接合部分３２ａと，これらの接合部分３２ａの間に位置する自由部分３２ｂとに区分されている。前後両端の接合部分３２ａにおいて，サイドシート１４は，トップシート１２の肌対向面上に接合されている。他方，接合部分３２ａの間に位置する自由部分３２ｂにおいて，サイドシート１４は，トップシート１２の肌対向面上に接合されていない。このため，サイドシート１４は，起立領域３２の自由部分３２ｂにおいて，トップシート１２から離れて，自由に立ち上がることができるようになっている。起立領域３２の自由部分３２ｂは，立体ギャザーを形成する部分となる。このため，起立領域３２の自由部分３２ｂは，長手方向に見て，少なくとも外装体２０の股下部２３から前身頃２１及び後身頃２２に到達する長さで形成されていることが好ましい。なお，上述したサイドシート１４の接合領域３１や，起立領域３２の接合部分３２ａにおけるシートの接合には，例えば，公知のホットメルト接着剤などを利用することができる。
【００４９】
また，図３に示されるように，サイドシート１４の起立領域３２の自由部分３２ｂには，長手方向に沿った伸長状態で，一又は複数の立体ギャザー伸縮部材１６が固定されている。このため，立体ギャザー伸縮部材１６が収縮することにより，起立領域３２の自由部分３２ｂが着用者の肌に当接する方向に向かって立ち上がり，立体ギャザーを形成する。立体ギャザーは，尿の防漏壁となり，トップシート１２を透過しなかった尿や，吸収体１１により吸収しきれなった尿が，外部へ漏洩することを防止する。
【００５０】
図３〜図５に示されるように，サイドシート１４は，さらに，延出領域３３を有している。この延出領域３３は，接合領域３１の幅方向外側に位置し，かつ，少なくともトップシート１２の肌対向面に接合されていない領域である。特に，図３に示されるようにサイドシート１４が展開されている状態において，この延出領域３３は，吸収性本体１０を構成する他の部材（吸収体１１，トップシート１２，バックシート１３，セカンドシート１５等）のいずれに対しても，その肌対向面側に接合されていない領域であることが好ましい。例えば，バックシート１３の幅方向の長さがトップシート１２の幅方向の長さよりも長く形成されており，バックシート１３がトップシート１２の幅方向外側に延出していることもある。この場合，サイドシート１４の延出領域３３は，バックシート１３の肌対向面側にも接合されていない領域となる。
【００５１】
図３に示されるように，本実施形態において，サイドシート１４の延出領域３３は，長手方向の中央部分に位置する延出フラップ３３ａと，この延出フラップ３３ａの長手方向の前後両側に位置する折返フラップ３３ｂとに区分されている。例えば，図３に示された形態において，延出フラップ３３ａと前後の折返フラップ３３ｂとの間には，それぞれ，切り込み３３ｃが形成されている。２つの切り込み３３ｃは，サイドシート１４の幅方向の端縁から，接合領域３１と延出領域３３の境界線にまで延びている。このため，延出フラップ３３ａと折返フラップ３３ｂは，切り込み３３ｃによって互いに切り離されており，独立して動くことができるようになっている。切り込み３３ｃの形状は適宜調整することができる。例えば，図３に示された例では，延出フラップ３３ａが略台形状となるように，２つの切り込み３３ｃの間が，接合領域３１と延出領域３３の境界線に近づくにつれて徐々に広がるようになっている。
【００５２】
図４に示されるように，サイドシート１４の延出領域３３のうち，折返フラップ３３ｂは，吸収性本体１０の肌非対向面側に折り返され，この吸収性本体１０の肌非対向面に対してホットメルト接着剤などによって接合される。このとき，接合領域３１と延出領域３３の境界線が，折返フラップ３３ｂの折返線として機能する。他方で，延出フラップ３３ａは，折り返されずにそのまま残った状態となる。このため，図４に示されるように，延出フラップ３３ａは，吸収性本体１０のトップシート１２よりも幅方向外側に向かって延出した部位となる。特に，延出フラップ３３ａは，吸収性本体１０を構成する他のいずれの部材（吸収体１１，トップシート１２，バックシート１３，セカンドシート１５等）よりも，幅方向外側に向かって延出した部位となることが好ましい。例えば，バックシート１３の幅方向の長さがトップシート１２の幅方向の長さよりも長く形成されており，バックシート１３がトップシート１２の幅方向外側に延出していることもある。この場合，延出フラップ３３ａは，バックシート１３よりもさらに幅方向外側に延出することが好ましい。これにより，延出フラップ３３ａは，肌対向面側と肌非対向面側の両方に自由に上下動することができるようになっている。
【００５３】
また，図５（ａ）には，延出フラップ３３ａが形成されている箇所の断面形状が示されており，図５（ｂ）には，折返フラップ３３ｂが形成されている箇所の断面形状が示されている。図５（ａ）に示されるように，延出フラップ３３ａは，トップシート１２の幅方向の外側に広がるようにして延出している。これに対し，図５（ｂ）に示されるように，折返フラップ３３ｂは，吸収性本体１０の肌非対向面側に折り返されて固定されている。本実施形態では，トップシート１２がバックシート１３の肌非対向面側に折り返されているため，折返フラップ３３ｂは，トップシート１２の肌非対向面に重ねて固定されている。これにより，折返フラップ３３ｂが形成された箇所において，吸収体１１，トップシート１２，バックシート１３，及びセカンドシート１５は，サイドシート１４によって上下から挟み込まれた状態となる。このように，サイドシート１４によって吸収性本体１０の左右両側を挟み込むように構成することで，吸収性本体１０から尿の横漏れが発生することを防止し，かつ，吸収性本体１０の保型性を向上させてその型崩れを防止することができる。
【００５４】
また，延出フラップ３３ａは，尿などの液体を吸収する吸収性を有している。延出フラップ３３ａは，サイドシート１４の一部である。サイドシート１４は，尿の横漏れを防止する立体ギャザーを構成するものであるため，一般的に，撥水性（液体を吸収せずにはじく性質）を有するシート部材によって形成されている。このため，延出フラップ３３ａを撥水性を有するサイドシート１４の一部によって形成する場合，少なくとも延出フラップ３３ａについては，撥水性を発揮させずに，液吸収性を発揮するようにしておく必要がある。
【００５５】
例えば，サイドシート１４として，延出フラップ３３ａに相当する部位については撥水加工を施さずに，その他の部位について撥水加工を施したシート部材を用いるようにすることもできる。また，図２〜図５に示されるように，延出フラップ３３ａを構成する内層１４ａと外層１４ｂとの間に吸水手段４０と介在させることとしてもよい。このような延出フラップ３３ａに設けられる吸水手段４０としては，フラッフパルプや，セルロース繊維，親水性の合成繊維，高吸水性ポリマー（ＳＡＰ），ティッシュペーパ等を挙げることができる。また，吸水手段４０に液体を導きやすくするために，延出フラップ３３ａを構成する内層１４ａと外層１４ｂの両方又はいずれか一方に，スリットや開口を形成することとしてもよい。また，サイドシート１４全体を液吸収性のシートによって構成することとしてもよい。このように，どのような方法によるかを問わず，延出フラップ３３ａは，尿などの液体を吸収する吸収性を有していることが好ましい。
【００５６】
延出フラップ３３ａが形成された吸収性本体１０は，図２に示されるように，ボクサーパンツ型の外装体２０の肌対向面側に配置される。具体的には，吸収性本体１０は，外装体２０の股下部２３を中心として，前身頃２１及び後身頃２２にかけて配置される。このとき，吸収性本体１０の延出フラップ３３ａは，外装体２０の脚周り被覆部２５に相当する位置に配置される。
【００５７】
吸収性本体１０は，基本的に，延出フラップ３３ａを除く部位において，外装体２０に対してホットメルト接着剤等によって接合される。他方，延出フラップ３３ａは，外装体２０に対して接合することとしてもよいし，接合しなくてもよい。例えば，延出フラップ３３ａを外装体２０の足周り被覆部２５の肌対向面に接合することで，吸収性本体１０と外装体２０の接合面積が増えるため，両者の接合強度が向上する。また，延出フラップ３３ａがヒラヒラと上下動しなくなるため，着用者に対して与える違和感を軽減することができる。他方，延出フラップ３３ａを外装体２０に接合すると，延出フラップ３３ａの吸収性能が低下することもある。このため，延出フラップ３３ａを外装体２０に接合せずに離しておいてもよい。このように，延出フラップ３３ａを外装体２０に接合する態様と接合しない態様のいずれにもそれぞれ異なるメリットがある。このため，使い捨ておむつ１００の用途に応じて，延出フラップ３３ａを外装体２０に接合するか否かを選択すればよい。
【００５８】
図６は，ボクサーパンツ型の使い捨ておむつ１００の着用時における断面構造を模式的に示している。図６では，着用者の肌の外縁を一点鎖線で示している。図６に示されるように，吸収性本体１０は，外装体２０によって着用者の股下に当てがわれる。このとき，吸収性本体１０のサイドシート１４から延出した延出フラップ３３ａは，外装体２０の脚周り被覆部２５に位置することとなる。つまり，装着状態において，延出フラップ３３ａは，着用者の内太腿の肌と外装体２０の脚周り被覆部２５の間に介在される。
【００５９】
ここで，ボクサーパンツ型の使い捨ておむつ１００の場合，着用者が排泄した尿などの液体は，着用者の内太腿辺りをつたって，レッグ開口部２４から漏れ出すことが多い。このため，着用者の内太腿の肌と外装体２０の脚周り被覆部２５の間に，液吸収性を有する延出フラップ３３ａを介在させることで，着用者の内太腿をつたって漏れ出す液体を効果的に吸収することができる。従って，延出フラップ３３ａによって尿漏れをより確実に防止できる。
【００６０】
図４においては，吸収性本体１０の長手方向の長さが符号Ｌ１で示されており，延出フラップ３３ａの長手方向の長さ符号Ｌ２で示されている。例えば，延出フラップ３３ａの長さＬ２は，吸収性本体１０の長さＬ１を１００％とした場合に，５％〜７０％，又は１０％〜４０％であることが好ましい。延出フラップ３３ａの長さＬ２が３０％未満であると，吸収可能な液体の量が少なくなるため，尿漏れを効果的に防止できなくなるおそれがある。他方，延出フラップ３３ａの長さＬ２が８５％を超えるものであると，延出フラップ３３ａが長くなり過ぎてしまい，着用者の脚周りの運動を阻害するおそれがある。このため，延出フラップ３３ａによる尿漏れ防止効果を維持しつつ，使い捨ておむつの装着感を良好に維持するために，延出フラップ３３ａの長さＬ２は，吸収性本体１０の長さＬ１に対して５％〜７０％％であることが好ましい。
【００６１】
図５（ａ）においては，サイドシート１４の接合領域３１からレッグ開口部２４までの間隔が符号Ｗ１で示されている。また，延出フラップ３３ａの幅方向の長さ（横幅）が符号Ｗ２で示されている。この場合に，延出フラップ３３ａの横幅Ｗ２は，レッグ開口部２４までの間隔Ｗ１以下となる（Ｗ２≦Ｗ１）。例えば，横幅Ｗ２が間隔Ｗ１を超えるものであると，延出フラップ３３ａが，レッグ開口部２４からはみ出してしまう。そうすると，延出フラップ３３ａが着用者の衣服などに触れる可能性があり，延出フラップ３３ａに吸収された液体が着用者の衣服に移って，この衣服を濡らしてしまうおそれがある。また，延出フラップ３３ａがレッグ開口部２４からはみ出していると，使い捨ておむつの見栄えが悪くなる。このため，延出フラップ３３ａの横幅Ｗ２は，レッグ開口部２４からはみ出さないように調整されていることが好ましい。例えば，延出フラップ３３ａの横幅Ｗ２は，サイドシート１４の接合領域３１からレッグ開口部２４までの間隔Ｗ１に対して，２５％〜１００％，又は５０％〜９５％であることが好ましい。
【００６２】
なお，図１〜図６に示した実施形態では，延出領域３３が，１つの延出フラップ３３ａと２つの折返フラップ３３ｂに区分されているが，この延出領域３３は，少なくとも１つの延出フラップ３３ａを有してればよい。例えば，２つの折返フラップ３３ｂを省略して，延出フラップ３３ａのみとすることもできる。また，延出フラップ３３ａを複数に分けて形成することもできる。
【００６３】
また，図５に示された実施形態において，延出フラップ３３ａは，サイドシート１４を構成する内層１４ａと外層１４ｂによって形成されているが，外層１４ｂのみによって延出フラップ３３ａを形成することもできる。例えば，外層１４ｂによって延出フラップ３３ａを形成しつつ，内層１４ａを吸収性本体１０の肌対向面側に向かって折り返してもよい。
【００６４】
続いて，図７〜図９を参照して，延出フラップ３３ａを有する吸収性本体１０の変形例について説明する。
【００６５】
図７は，吸収性本体１０の延出フラップ３３ａの形状の変形例を示している。図７（ａ）に示されるように，延出フラップ３３ａは，矩形状に形成されていてもよい。この場合，延出フラップ３３ａと折返フラップ３３ｂの間に形成される切り込み３３ｃは，幅方向と平行に延びる直線状とすればよい。また，図７（ｂ）に示されるように，延出フラップ３３ａは，三角形状に形成されていてもよい。この場合，２つの切り込み３３ｃは，サイドシート１４の幅方向外側の端縁において交わっており，この交点から幅方向内側に向かって徐々に間隔が広がるように傾斜した形状となる。また，図７（ｃ）に示されるように，延出フラップ３３ａは，幅方向外側の端縁が部分的に円弧状に形成されていてもよい。また，図７（ｄ）に示されるように，切り込み３３ｃは，延出フラップ３３ａと折返フラップ３３ｂの間に隙間を形成する切欠き状であってもよい。
【００６６】
図８は，延出フラップ３３ａの肌対向面にスリット３４又は開口３５を形成した変形例を示している。図８（ａ）に示されるように，延出フラップ３３ａの長手方向に沿って，連続的に直線状に延びるスリット３４を形成してもよい。図８（ｂ）に示されるように，延出フラップ３３ａに形成されるスリット３４は，間欠的に形成されたものであってもよい。例えば，スリット３４は，延出フラップ３３ａを構成する内層１４ａと外層１４ｂのうち，肌対向面側に位置する外層１４ｂにのみ形成される。内層１４ａと外層１４ｂの間には，吸収性繊維やＳＡＰなどの吸水手段４０が介在しているため，外層１４ｂにスリット３４を形成することで，延出フラップ３３ａに触れた液体を吸水手段４０へと導きやすくなる。
【００６７】
また，図８（ｃ）に示されるように，延出フラップ３３ａの肌対向面側に位置する外層１４ｂには，吸水手段４０と重なる部位に，１つの開口３５を形成することとしてもよい。また，図８（ｄ）に示されるように，延出フラップ３３ａの外層１４ｂには，複数の開口３５を形成してもよい。このように，延出フラップ３３ａに開口３５を設けることによっても，内層１４ａと外層１４ｂの間に介在する吸水手段４０に液体を導きやすくなる。開口３５の形状は，円形，楕円形，三角形，四角形，その他の多角形とすることができる。
【００６８】
図９（ａ）は，延出フラップ３３ａと接合領域３１の境界線上に，ミシン目線５１を形成した変形例を示している。図９（ａ）に示されるように，延出フラップ３３ａと接合領域３１の間の境界線の全長に沿って，ミシン目線５１を形成しておく。これにより，ミシン目線５１に沿ってシート部材を破断するようになるため，延出フラップ３３ａを接合領域３１から切り離すことができる。例えば，延出フラップ３３ａは，尿を吸収すると湿潤して冷たくなり，着用者に対して不快感を与えるおそれがある。このため，尿の吸収後の延出フラップ３３ａを自由に切り離せるにようにしておくことで，着用者に与える不快感を軽減することができる。
【００６９】
図９（ｂ）は，延出フラップ３３ａと接合領域３１の境界線上に，部分的なスリット５２を形成した変形例を示している。図９（ａ）に示されるように，部分的なスリット５２は，延出フラップ３３ａと接合領域３１の境界線上のうち，長手方向の前後両側にのみ形成されている。このように，部分的なスリット５２を設けることで，延出フラップ３３ａが着用者の動作に追従しやすくなる。また，部分的なスリット５２を設けておくことで，延出フラップ３３ａの長手方向の長さを比較的長くした場合であっても，この延出フラップ３３ａが着用者の動作に追従するため，着用者に対して違和感を与えることを防止できる。
【００７０】
続いて，図１０を参照して，本発明に係るボクサーパンツ型の使い捨ておむつ１００の好ましい製造方法について説明する。図１０に示されるように，まず，吸収体１１，トップシート１２，及びバックシート１３の積層体を用意する。この積層体には，セカンドシート１５（図５参照）が含まれていてもよい。
【００７１】
次に，積層体の幅方向の左右両側に，一対のサイドシート１４を接合する。このとき，サイドシート１４の接合領域３１を，積層体のトップシート１２上に接合するとともに，接合領域３１よりも幅方向外側に位置する延出領域３３を積層体から延出させる。この段階において，サイドシート１４には，立体ギャザー伸縮部材１６と吸水手段４０とを取り付けておく。
【００７２】
次に，サイドシート１４の延出領域３３に２つの切り込み３３ｃを形成する。この切り込み３３ｃによって，サイドシート１４の延出領域３３は，１つの延出フラップ３３ａと，その前後両側に位置する２つの折返フラップ３３ｂに区分される。切り込み３３ｃを形成する際には，吸水手段４０が延出フラップ３３ａ内に配置されるようにする。また，切り込み３３ｃを形成する際には，サイドシート１４を形成するシート部材を溶融させながら切断を行うヒートカッターを用いることが好ましい。これにより，延出フラップ３３ａの周縁が融着されるため，延出フラップ３３ａの内部に吸水性繊維やＳＡＰなどの吸水手段４０を封入しやすくなる。
【００７３】
次に，サイドシート１４の延出領域３３のうち，折返フラップ３３ｂを積層体の肌非対向面側に向かって折り返す。このとき，ホットメルト接着剤などによって，折返フラップ３３ｂを積層体の肌非対向面に接合することが好ましい。これにより，延出フラップ３３ａを有する吸収性本体１０が製造される。
【００７４】
その後，吸収性本体１０を，別の製造ラインで製造した外装体２０の肌対向面に重ね合わせて固定する。この外装体２０は，ボクサーパンツ型のものであり，レッグ開口部２４の周囲に，脚周り被覆部２５を有している。
【００７５】
最後に，外装体２０の前身頃と後身頃の幅方向両端部を重ね合わせて接合し，ボクサーパンツ型の使い捨ておむつ１００とする。このとき，吸収性本体１０の延出フラップ３３ａを，外装体２０の足回り被覆部２５に位置させる。このようにして，吸収性本体１０に延出フラップ３３ａを形成して，この延出フラップ３３ａによって着用者の内太腿辺りを被覆する。これにより，本発明によれば，この内太腿辺りからの尿漏れが発生しやすいとされているボクサーパンツ型の使い捨ておむつの課題を克服することができる。
【００７６】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【産業上の利用可能性】
【００７７】
本発明は，ボクサーパンツ型の使い捨ておむつに関する。従って，本発明は，使い捨ておむつの製造業において好適に利用しうる。
【符号の説明】
【００７８】
１０…吸収性本体          １１…吸収体              １２…トップシート
１３…バックシート        １４…サイドシート        １４ａ…内層
１４ｂ…外層              １５…セカンドシート      １６…立体ギャザー伸縮部材
２０…外装体              ２１…前身頃              ２１ａ…サイドシール部
２２…後身頃              ２２ａ…サイドシール部    ２３…股下部
２４…レッグ開口部        ２５…脚周り被覆部        ２６…ウエスト開口部
２７…インナーシート      ２８…アウターシート      ２９ａ…ウエスト伸縮部材
２９ｂ…タミー伸縮部材    ２９ｃ…レッグ伸縮部材    ３１…接合領域
３２…起立領域            ３２ａ…接合部分          ３２ｂ…自由部分
３３…延出領域            ３３ａ…延出フラップ      ３３ｂ…折返フラップ
３３ｃ…切り込み          ３４…スリット            ３５…開口
４０…吸水手段            ５１…ミシン目線          ５２…スリット
１００…使い捨ておむつ
【図１】
0006308121.tif 000002
【図２】
0006308121.tif 000003
【図３】
0006308121.tif 000004
【図４】
0006308121.tif 000005
【図５】
0006308121.tif 000006
【図６】
0006308121.tif 000007
【図７】
0006308121.tif 000008
【図８】
0006308121.tif 000009
【図９】
0006308121.tif 000010
【図１０】
0006308121.tif 000011